(57)【要約】【課題】  装着することにより、ペニスを勃起状態にさせることができ、正常な性交を中折れなく行うことが出来る装着具を提供する。【解決手段】  勃起不全または勃起不能者用の装着具であって、  シリコーンゴム製で一体成型されており、  前記シリコーンゴムのショアＡ硬度(ASTM-D412）が5±2である装着具。【選択図】        図２
2005052558.tif 000002
【特許請求の範囲】
【請求項１】
勃起不全または勃起不能者用の装着具であって、
シリコーンゴム製で一体成型されており、
前記シリコーンゴムのショアＡ硬度(ASTM-D412）が5±2である装着具。
【請求項２】
先端用具を有し、
この先端用具は、前記シリコーンゴム製の一体成型されたそれぞれ筒状の基部と先端部とを有し、
この先端部は外形が流線型の紡錘状をなし、前記基部より大きな最大径をもち、その先端には、射精した精子を放出するための開孔を有し、
この開孔に連通して、亀頭にフィットする第1の中空部と前記開孔と第1の中空部とを連通する第2の中空部とを有する請求項1の装着具。
【請求項３】
前記先端用具は、全長80〜300mmであり、前記先端部は、最大径を30〜45mmとし、前記第2の中空部の長さを8〜20mm、径を8〜15mmとし、前記第2の中空部から先端側の中実部分の長さを8〜20mmとした請求項1の装着具。
【請求項４】
前記シリコーンゴム製の一体成型された筒状のシャフト用具を有する請求項１〜３のいずれかの装着具。
【請求項５】
前記シャフト用具は、外周および内周に散点状に突起を有する請求項４の装着具。
【発明の詳細な説明】
【技術分野】
【０００１】
本発明は、勃起不全者や勃起不能者が装着して性交を行う際に、陰茎を勃起状態にさせることが出来、正常な性交が出来る装着具に関する。
【背景技術】
【０００２】
近年、性交の際に、勃起不全や勃起不能者が急増していると言われている。このような人に対しては、従来、シリコーンのインプラント挿入術が行われている。しかし、インプラントの露出する合併症があるため、このような症例では症状の改善が図れないのが実情であった。
【発明の開示】
【発明が解決しようとする課題】
【０００３】
本発明の目的は、装着することにより、ペニスを勃起状態にさせることができ、正常な性交を中折れなく行うことが出来る装着具を提供することにある。
【課題を解決するための手段】
【０００４】
上記目的は、下記の本発明により達成される。
（１）  勃起不全または勃起不能者用の装着具であって、
シリコーンゴム製で一体成型されており、
前記シリコーンゴムのショアＡ硬度(ASTM-D412）が5±2である装着具。
（２）  先端用具を有し、
この先端用具は、前記シリコーンゴム製の一体成型されたそれぞれ筒状の基部と先端部とを有し、
この先端部は外形が流線型の紡錘状をなし、前記基部より大きな最大径をもち、その先端には、射精した精子を放出するための開孔を有し、
この開孔に連通して、亀頭にフィットする第1の中空部と前記開孔と第1の中空部とを連通する第2の中空部とを有する上記（１）の装着具。
（３）  前記先端用具は、全長80〜300mmであり、前記先端部は、最大径を30〜45mmとし、前記第2の中空部の長さを8〜20mm、径を8〜15mmとし、前記第2の中空部から先端側の中実部分の長さを8〜20mmとした上記（１）の装着具。
（４）  前記シリコーンゴム製の一体成型された筒状のシャフト用具を有する上記（１）〜（３）のいずれかの装着具。
（５）  前記シャフト用具は、外周および内周に散点状に突起を有する上記（４）の装着具。
【発明を実施するための最良の形態】
【０００５】
図1は、本発明の第1の実施例を示す正面図であり、図2はその断面図である。図1，2に示されるように、本発明の装着具は、全体がシリコーンゴム製の一体的に形成された筒状の先端用具を有する。先端用具は、筒状の基部101と先端部102とを有する。基部101は、勃起不全または不能なペニスに上手くフィットするように長さと径を決定 している。
【０００６】
先端部102は、亀頭の形状に類似させ、挿入とピストン運動がスムーズに行えるような長さと径に決定されている。このため、外形が流線型の紡錘状をなしている。先端部102の先端には、射精した精子を放出するための開孔105が設けられている。そして、その基部側には、2つの中空部103,104が設けられている。このうち、第1の中空部103は、亀頭にフィットする外径と形状を持っている。第2の中空部104は、先端部102の強度を保ち、軽量化を図る上で、極めて重要である。このサイズは、長さlを8〜20mm程度、径dを8〜15mm程度とすればよい。
【０００７】
このような場合、全長Lは、80〜300mm程度とし、基部は、肉厚2〜3mm程度とし、先端部102の最大径Dは、30〜45mm程度とする。また、第2の中空部104から先の中実部分の長さは、8〜20mm程度とすることが好ましい。これにより、充分な強度と軽量化が得られる。
【０００８】
次に、このような一体的な装着具は、シリコーンゴムから形成されるが、そのショアＡ硬度(ASTM-D412 ）は、5±2であることが好ましい。シリコーンとしては、医療用のものであればよい。そして、シリコーンポリマー80〜95％、シリカ5〜20％、チタニア0.05〜1％、その他フタロシアニン染料やカーボンブラック等を適量含有していても良い。
【０００９】
なお、図示の例では、基部の基端に巻き上げ用の鍔106が設けられている。
【００１０】
図3，4には、第2の実施例が示される。この例のものは、第1の例と同じ図番で示されているので、説明は省略する。
【００１１】
図5，6には、第3の実施例が示される。この例は、前述の例において、基部の外周に、散点状に1〜2mmの高さの突起107を複数個付けたものである。この突起107は、性交時の刺激を高める働きをする。
【００１２】
このような先端用具を装着するには、以下のようにすればよい。先ず、シャフト用具を用意する。図7，8に示されるように、シャフト用具20は、同じくシリコーン製の筒状のものであり、所定の長さと外径をもち、前述したのと同等の肉厚をもつものである。すなわち、外径は25〜35mm、内径20〜28mmとする。そして、外周および内周には、散点状の突起207、208が複数個設けられている。このうち、外周部の突起207の働きは、前記と同様であるが、内周部の突起208は、ペニスとの密着を高めるためのものである。また、シャフト用具の後端部は、内側の内周部にリング状にリブ209を有し、ペニスとの密着をたかめているとともに、その外周は、多少Ｒの付いた形状とされており、先端用具とのフィット性を高めている。
【００１３】
このようなシャフト用具を用い、これを端部側に巻き上げる。巻き上げたものを両手の人差し指と中指で開き、これを亀頭の根元に装着する。装着後、巻き上げたものをペニスに沿って戻す。次いで、先端用具を装着する。この際、基端部から先端に向かって、充分に巻き上げる。巻き上がったところで、亀頭先端に当て、これをシャフト用具に向かって元に戻す。シャフト用具と先端用具との接合部は、シャフト用具が外側にくるようにする。
【産業上の利用可能性】
【００１４】
本発明によれば、装着することにより、ペニスを勃起状態にさせることができ、正常な性交を中折れなく行うことが出来る。
【００１５】
実験例
次に、本発明の効果を説明するために、図1，2の装着具をシリコーンゴムにより試作した。このものを患者である本発明の発明者の一人に装着させた。
【００１６】
患者である発明者の一人友定  一幸に対し、医者である発明者の他の一人秦  維郎による診断内容は次のとおりである。
【００１７】
一  病名    勃起不能
一  附記    患者は勃起不能の診断のものと、シリコンインプラント挿入術を施行するも、インプラント露出のため、症状の改善は図れなかった。今回新たに開発されたシリコン装具を装着することによって症状の著しい改善が見られた。すなわち中折れなく陰茎を勃起させることができ、臥位、立位にて正常な性交が可能となり、射精もできるようになった。
【図面の簡単な説明】
【００１８】
【図１】先端用具の第1の実施例を示す正面図である。
【図２】先端用具の第1の実施例を示す断面図である。
【図３】先端用具の第2の実施例を示す正面図である。
【図４】先端用具の第2の実施例を示す断面図である。
【図５】先端用具の第3の実施例を示す正面図である。
【図６】先端用具の第3の実施例を示す断面図である。
【図７】シャフト用具の実施例を示す正面図である。
【図８】シャフト用具の実施例を示す端面図である。
【符号の説明】
【００１９】
１        先端用具
１０１    基部
１０２    先端部
１０３，１０４    中空部
１０５    開孔
１０６    鍔
１０７    突起
２０      シャフト用具
２０７，２０８    突起
２０９    リブ
【図１】
2005052558.tif 000003
【図２】
2005052558.tif 000004
【図３】
2005052558.tif 000005
【図４】
2005052558.tif 000006
【図５】
2005052558.tif 000007
【図６】
2005052558.tif 000008
【図７】
2005052558.tif 000009
【図８】
2005052558.tif 000010